(57)【特許請求の範囲】
【請求項１】
同一種類の複数の物品が収容される箱体であって複数種類の物品に対応する複数の前記箱体からオーダー情報に基づき複数の物品を組み合わせて出庫するためのピッキングシステムであって、
複数の前記箱体を保管する保管棚と、
前記箱体を保持する保持部が複数箇所に設けられる移動棚と、
前記保管棚と前記移動棚との間で前記箱体を移載する第一移載装置と、
作業者が複数種類の物品の組み合わせ作業を行う組み合わせエリアと前記移動棚に前記箱体が移載される移載エリアとの間で前記移動棚を移載する第二移載装置と、
前記組み合わせエリアにおいて、組み合わせに必要な組み合わせ情報を前記移動棚に保持される前記箱体に対応して報知する報知装置と
を備えるピッキングシステム。
【請求項２】
さらに、
複数の前記移動棚を保管する移動棚保管エリアを備え、
前記第二移載装置は、
前記組み合わせエリアと前記移動棚保管エリアとの間、および、前記移動棚保管エリアと移載エリアとの間で前記移動棚を移載する
請求項１に記載のピッキングシステム。
【請求項３】
前記第二移載装置は、
複数の前記移動棚を保持して搬送可能であり、前記組み合わせエリア、および、前記移載エリアとの間で独立して単数の前記移動棚を移載する移動棚保持手段を備える
請求項１または２に記載のピッキングシステム。
【請求項４】
さらに、
オーダー情報に基づき前記保管棚から前記移動棚に移載する前記箱体を決定する移載制御装置であって、
オーダー情報である第一オーダー情報に基づいて決定される前記箱体である第一箱体を前記移動棚に全て移載するとした場合に、前記第一箱体を保持する前記移動棚の空いている前記保持部の数である空保持部数を導出し、
オーダー情報に基づいて決定される前記箱体の総数を全箱体数とした場合に、前記全箱体数が前記空保持部数以下である第二オーダー情報を探索し、
第二オーダー情報が発見された場合、第二オーダー情報に基づいて決定される前記箱体である第二箱体の全てを前記第一箱体を保持する前記移動棚に移載する移載制御装置
を備える請求項１〜３のいずれか１項に記載のピッキングシステム。
【請求項５】
前記報知装置は、前記オーダー情報に基づき、組み合わせ情報として前記移動棚における前記箱体の位置を示す位置情報に対応する位置に前記箱体から取り出す物品の数を示す数情報を報知する
請求項１〜４のいずれか１項に記載のピッキングシステム。
【発明の詳細な説明】
【技術分野】
【０００１】
オーダー情報に基づき複数種類の物品を同一種類の物品が収容される箱体から取り出し、取り出した物品をオーダー情報に合致した組み合わせ状態で出庫するピッキングシステムに関する。
【背景技術】
【０００２】
例えば薬局など多品種の物品を扱う店舗を多数保有するチェーン店などにおいては、自動倉庫に他品種の物品を一括して保管しておき、それぞれの店舗が出すオーダー情報に合致した複数種類の物品を組み合わせた状態で各店舗に向けて物品を出庫するシステムが採用される場合がある。
【０００３】
上記のような自動倉庫では、オーダー情報に合致した組み合わせ状態の物品を出庫するために、例えば、同一種類の物品が収容される箱体が保管され、複数種類の物品に対応した複数の箱体が保管されている保管棚からカートを押した作業者がオーダー情報に合致した複数種類の物品をピックアップし、組み合わせ物品群を形成するピッキングシステムが採用されている。
【０００４】
従来、このようなピッキングシステムを効率化するために、自動移載装置とピッキングロボットを組み合わせたピッキングシステムが提案されている。例えば特許文献１に記載のピッキングシステムは、複数の箱体が保管されている保管棚からオーダー情報に対応した複数の箱体をピッキングロボットに自動移載装置を用いて移送し、移送された箱体からピッキングロボットが複数種類の物品をピックアップして組み合わせ物品群を形成するシステムである。
【先行技術文献】
【特許文献】
【０００５】
【特許文献１】特開２０１０−５２８７８号公報
【発明の概要】
【発明が解決しようとする課題】
【０００６】
ところが、複数種類の物品の形状や大きさや重量が異なる場合などピッキングロボットでは対応しきれない場合もある。
【０００７】
一方、ピックアップ作業を人間に委ねると、ピッキングシステムの効率が低下し、また、ヒューマンエラーも発生する。
【０００８】
本願発明は上記課題に鑑みなされたものであり、作業者が高い効率でピックアップ作業を行うことができ、また、ヒューマンエラーの発生確率を抑制することができるピッキングシステムの提供を目的とする。
【課題を解決するための手段】
【０００９】
上記目的を達成するために、本願発明にかかるピッキングシステムは、同一種類の複数の物品が収容される箱体であって複数種類の物品に対応する複数の前記箱体からオーダー情報に基づき複数の物品を組み合わせて出庫するためのピッキングシステムであって、複数の前記箱体を保管する保管棚と、前記箱体を保持する保持部が複数箇所に設けられる移動棚と、前記保管棚と前記移動棚との間で前記箱体を移載する第一移載装置と、作業者が複数種類の物品の組み合わせ作業を行う組み合わせエリアと前記移動棚に前記箱体が移載される移載エリアとの間で前記移動棚を移載する第二移載装置と、前記組み合わせエリアにおいて、組み合わせに必要な組み合わせ情報を前記移動棚に保持される前記箱体に対応して報知する報知装置とを備えることを特徴とする。
【００１０】
これにより、組み合わせに必要な物品が収容される複数の箱体のみが組み合わせエリアに配置され、報知装置には組み合わせエリアに配置される箱体に対応して組み合わせに必要な組み合わせ情報が報知される。従って、作業者は組み合わせに必要な箱体か否かを判断する必要がなくなり、ヒューマンエラーの発生確率を低減させた状態で組み合わせ作業を行うことが可能となる。さらに、作業者が待機する組み合わせエリアに箱体が移載されるため、作業者は大きく移動することなく作業を行うことができ、組み合わせ作業の効率を向上させることが可能となる。
【００１１】
さらに、複数の前記移動棚を保管する移動棚保管エリアを備え、前記第二移載装置は、前記組み合わせエリアと前記移動棚保管エリアとの間、および、前記移動棚保管エリアと移載エリアとの間で前記移動棚を移載するものでもかまわない。
【００１２】
これによれば、例えば、移載エリアと組み合わせエリアとの距離が長い場合などにおいても、作業者が組み合わせ作業を終えると、移動棚保管エリアとの間で迅速に移動棚の入れ替えを行うことが可能となる。
【００１３】
また、前記第二移載装置は、複数の前記移動棚を保持して搬送可能であり、前記組み合わせエリア、および、前記移載エリアとの間で独立して単数の前記移動棚を移載する移動棚保持手段を備えてもよい。
【００１４】
これによれば、組み合わせ作業が終了した移動棚と新たに組み合わせ作業に供される移動棚との入れ替え作業を迅速に行うことが可能となる。
【００１５】
さらに、オーダー情報に基づき前記保管棚から前記移動棚に移載する前記箱体を決定する移載制御装置であって、オーダー情報である第一オーダー情報に基づいて決定される前記箱体である第一箱体を前記移動棚に全て移載するとした場合に、前記第一箱体を保持する前記移動棚の空いている前記保持部の数である空保持部数を導出し、オーダー情報に基づいて決定される前記箱体の総数を全箱体数とした場合に、前記全箱体数が前記空保持部数以下である第二オーダー情報を探索し、第二オーダー情報が発見された場合、第二オーダー情報に基づいて決定される前記箱体である第二箱体の全てを前記第一箱体を保持する前記移動棚に移載する移載制御装置を備えてもよい。
【００１６】
これによれば第二移載装置の移動量を低減させることができ、ピッキングシステム全体の効率を向上させることが可能となる。
【００１７】
また、前記報知装置は、前記オーダー情報に基づき、組み合わせ情報として前記移動棚における前記箱体の位置を示す位置情報に対応する位置に前記箱体から取り出す物品の数を示す数情報とを報知してもよい。
【００１８】
これによれば、作業者は箱体にどの種類の物品が入っているかを意識することなく、必要な種類の物品と必要な数とを報知装置に報知される組み合わせ情報にのみ基づき取り出すことが可能となる。従って、ヒューマンエラーの発生確率を低下させ、組み合わせ作業の効率を向上させることが可能となる。
【発明の効果】
【００１９】
本願発明によれば、組み合わせ作業を人に委ねる場合でも、ヒューマンエラーの発生確率を低下させるとともに、作業効率を向上させることが可能となる。
【図面の簡単な説明】
【００２０】
【図１】図１は、ピッキングシステムを示す平面図である。
【図２】図２は、保管棚と第一移載装置の一部を模式的に示す斜視図である。
【図３】図３は、保管棚と第一移載装置の一部を模式的に示す側面図である。
【図４】図４は、リフトコンベアと移動棚とを示す側面図である。
【図５】図５は、移動棚を示す側面図である。
【図６】図６は、報知装置を背部に存在する移動棚とともに示す側面図である。
【図７】図７は、ピッキングシステムの機能構成を示すブロック図である。
【図８】図８は、ピッキングシステムの処理フローを示す図である。
【発明を実施するための形態】
【００２１】
次に、本願発明に係るピッキングシステムの実施の形態について、図面を参照しつつ説明する。なお、以下の実施の形態は、本願発明に係るピッキングシステムの一例を示したものに過ぎない。従って本願発明は、以下の実施の形態を参考に請求の範囲の文言によって範囲が画定されるものであり、以下の実施の形態のみに限定されるものではない。
【００２２】
図１は、ピッキングシステムを示す平面図である。
【００２３】
同図に示すように、ピッキングシステム１００は、同一種類の複数の物品が収容される箱体２００であって複数種類の物品に対応する複数の前記箱体２００からオーダー情報に基づき複数の物品を組み合わせて出庫するためのシステムであって、保管棚１０１と、移動棚１０２と、第一移載装置１０３と、第二移載装置１０４と、報知装置１０５とを備えている。
【００２４】
図２は、保管棚と第一移載装置の一部を模式的に示す斜視図である。
【００２５】
図３は、保管棚と第一移載装置の一部を模式的に示す側面図である。
【００２６】
これら図に示すように、保管棚１０１は、搬入された複数の箱体２００を保管する棚である。本実施の形態の場合、保管棚１０１は、箱体２００をＸ軸方向に並べて保持することのできる保管棚板１１１を上下方向（Ｚ軸方向）に複数段備える棚である。従って、保管棚１０１は、ＸＺ平面内にマトリクス状に箱体２００を保管することができるものとなっている。なお、図示されていない他の保管棚１０１も同様であり、保管棚板１１１の高さも一致している。
【００２７】
第一移載装置１０３は、保管棚１０１と移動棚１０２との間で箱体２００を移載する装置である。本実施の形態の場合、第一移載装置１０３は、水平搬送手段１３１と、鉛直搬送手段１３２と、コンベア１３３と、リフトコンベア１３４とを備えている。
【００２８】
水平搬送手段１３１は、保管棚１０１と鉛直搬送手段１３２との間で任意の箱体２００を移送する設備である。水平搬送手段１３１は、保管棚１０１の保管棚板１１１に対応する高さにそれぞれＸ軸方向に沿ってレールが敷設され、当該レール上を往復動し、鉛直搬送手段１３２との間で箱体２００を移載することができる走行車１３５を備えたいわゆるシャトル式の装置である。
【００２９】
走行車１３５は、保管棚板１１１が配置される各段において保管棚板１１１に載置されている箱体２００を受け取り、Ｘ軸方向（保管棚板１１１の延在方向）に沿って移動し、同じ高さの保管棚板１１１の異なる場所に箱体２００を受け渡すことができる車両である。
【００３０】
鉛直搬送手段１３２は、水平搬送手段１３１から受け取った箱体２００を鉛直方向に搬送することができるいわゆるバーチカルコンベアである。
【００３１】
以上のように、水平搬送手段１３１が、各保管棚板１１１に対応して複数の走行車１３５が設けられるシャトル型の移送装置を備えることで、複数の箱体２００を段毎に同時に高速に移動させることが可能となり、鉛直搬送手段１３２を用いることで、箱体２００を保管棚１０１からコンベア１３３へ高速に移送することが可能となる。また、箱体２００をコンベア１３３から保管棚１０１にも高速に移送することが可能となる。
【００３２】
なお、本実施の形態では、水平搬送手段１３１と鉛直搬送手段１３２とを組み合わせて用いているが、スタッカークレーンなど、箱体２００を水平および鉛直方向に自在に搬送できる搬送装置を用い、保管棚１０１からコンベア１３３等に箱体２００を搬送してもかまわない。
【００３３】
コンベア１３３は、鉛直搬送手段１３２から箱体２００を順次受け取り、水平方向に箱体２００を図中のＸ軸方向に順次搬送し、箱体２００をＸ軸方向に並べて一時的に保持しておくことができる搬送装置である。
【００３４】
図４は、リフトコンベアと移動棚とを示す側面図である。
【００３５】
リフトコンベア１３４は、コンベア１３３とほぼ同様の機能を備え、さらに、水平方向（Ｘ軸方向）に並べて保持する複数の箱体２００を鉛直方向（Ｚ軸方向）に昇降させることが可能となっている。また、リフトコンベア１３４は、押し出し装置１３６を備えている。押し出し装置１３６は、リフトコンベア１３４から移動棚１０２に向かってＹ軸方向に沿って箱体２００を押し出して移載する移載装置である。
【００３６】
なお、移動棚１０２から保管棚１０１へ箱体２００を移載する場合は、前記説明の逆（押し出し装置１３６は除く）を行えば良い。
【００３７】
また、押し出し装置１３６は、リフトコンベア１３４に設ける必要は無く、別体の装置であってもかまわない。さらに、リフトコンベア１３４と移動棚１０２との間で箱体２００を移載できる装置であれば、特に押し出し装置１３６に限定されることはない。
【００３８】
また、箱体２００の昇降機構としてパンタグラフを図示しているが、特にこれに限定されるものでは無い。
【００３９】
図５は、移動棚を示す側面図である。
【００４０】
移動棚１０２は、箱体２００を保持する保持部１２１が複数箇所に設けられる棚であり、第二移載装置１０４によって移動させることができるものとなっている。本実施の形態の場合、移動棚１０２は、矩形平板状の移動棚板１２２を上下方向複数段備え、移動棚板１２２上に箱体２００を載せ置くことによって箱体２００を保持する。従って、移動棚１０２が有する保持部１２１の数は箱体２００の大きさによって変わるものとなっている。なお本実施の形態では、移動棚１０２は、水平方向（Ｘ軸方向）に保持部１２１を３箇所備え、鉛直方向（Ｚ軸方向）には保持部１２１を４段備えており、保持部１２１を合計１２箇所備えている。
【００４１】
第二移載装置１０４は、図１に示すように、作業者Ｗが複数種類の物品の組み合わせ作業を行う組み合わせエリアＡと移動棚１０２に箱体２００が移載される移載エリアＢとの間で移動棚１０２を移載する装置である。第二移載装置１０４は、組み合わせエリアＡに沿って延び、組み合わせエリアＡと移載エリアＢとの間に敷設されるレール１４２と、移動棚１０２を保持した状態でレール１４２に沿って移動する移動棚保持手段１４１とを備えている。本実施の形態の場合、移動棚保持手段１４１は、複数の移動棚１０２を同時に保持し、組み合わせエリアＡと移動棚保持手段１４１との間、および、移載エリアＢと移動棚保持手段１４１の間でそれぞれ独立して移動棚１０２を移載することのできるものとなっている。
【００４２】
当該移動棚保持手段１４１により、移動棚１０２の入れ替え作業を効率よく行うことが可能となる。
【００４３】
なお、移動棚１０２の移載構造は特に限定されるものではないが、例えば、移動棚保持手段１４１がＸ軸方向に移動棚１０２を移動させることのできるコンベアを単数、または、複数備えることで移動棚１０２を移載することができる。
【００４４】
また本実施の形態の場合、組み合わせエリアＡと移載エリアＢとの間であって、移動棚保持手段１４１の移動経路の近傍に、移動棚保管エリアＣが設けられている。第二移載装置１０４は、組み合わせエリアＡと移動棚保管エリアＣとの間、および、移動棚保管エリアＣと移載エリアＢとの間で移動棚１０２を移載することが可能となっている。
【００４５】
以上により、組み合わせエリアＡと移載エリアＢとが遠く離れている場合でも、移動棚保管エリアＣにこれから組み合わせ作業に供される移動棚１０２や、組み合わせ作業が終了した移動棚１０２を保管しておくことで、ピッキングシステム１００の効率を高めることが可能となる。
【００４６】
なお、組み合わせエリアＡ、および、移載エリアＢ、および、移動棚保管エリアＣには、移動棚１０２を同じ高さで保持できる載置台１２９が設けられている。
【００４７】
図６は、報知装置を背部に存在する移動棚とともに示す側面図である。
【００４８】
報知装置１０５は、組み合わせエリアＡにおいて、物品の組み合わせに必要な組み合わせ情報を移動棚１０２に保持される箱体２００に対応して報知する装置である。本実施の形態の場合、報知装置１０５は、組み合わせエリアＡに配置される移動棚１０２の作業者Ｗ側に設けられる枠体１５１と、移動棚１０２の保持部１２１に対応する位置の枠体１５１に取り付けられる表示装置１５２と、箱体２００から物品を取り出した際に作業者Ｗが押す釦ランプ１５３とを備えている。本実施の形態の場合、釦ランプ１５３は、作業者Ｗが押す押しボタン式のスイッチであるとともに、ＬＥＤが設けられ必要に応じて光るものとなっている。
【００４９】
なお、報知装置１０５は上記実施の形態に限定されるわけではない。例えば、作業者Ｗが保持部１２１近傍に端末を配置した場合に、物品を取り出す個数を音声で報知するものでもかまわない。また、報知装置１０５は、モニタを備え、画面上に枠体１５１に類似する像と、当該像の保持部１２１に対応する位置に物品を取り出す個数を表示するものでもかまわない。
【００５０】
次に、ピッキングシステム１００の機能構成を説明する。
【００５１】
図７は、ピッキングシステムの機能構成を示すブロック図である。
【００５２】
同図に示すように、ピッキングシステム１００は、移載制御装置１０６と、報知制御装置１０７とを備えている。
【００５３】
移載制御装置１０６は、他のコンピュータなどから受信したオーダー情報に基づき保管棚１０１から移動棚１０２に移載する箱体２００を決定し、決定した内容で第一移載装置１０３を制御する装置である。移載制御装置１０６は、いずれの箱体２００をいずれの移動棚１０２のどの位置の保持部１２１に移載したかの情報を送信することができるものとなっている。
【００５４】
なお本実施の形態の場合、箱体２００は、箱体２００を識別する箱体識別子をそれぞれ備えており、移動棚１０２は、移動棚１０２を識別する棚識別子をそれぞれ備えている。なお、箱体識別子や棚識別子は、ＩＣタグやバーコードなど任意の識別子を採用しうる。また、保持部１２１の位置は番地情報が割り付けられている。
【００５５】
また、移載制御装置１０６は、移動棚１０２を組み合わせエリアＡのどの位置に搬送し、組み合わせエリアＡに配置されるいずれの移動棚１０２を回収するかを判断し、判断した内容で第二移載装置１０４を制御する。
【００５６】
報知制御装置１０７は、移載制御装置１０６から受信した情報に基づき、作業者Ｗが組み合わせエリアＡにおいて物品の組み合わせ作業を行うための組み合わせ情報を作成し、作成した情報を報知装置１０５に送信する装置である。
【００５７】
なお、移載制御装置１０６、および、報知制御装置１０７は、前記制御をソフトウエアに基づいて実行するコンピュータにより実現することができる。また、移載制御装置１０６、および、報知制御装置１０７は、独立した装置として示したが、他の処理も行うコンピュータの１機能として存在してもかまわない。
【００５８】
次に、ピッキングシステム１００の処理内容を説明する。
【００５９】
図８は、ピッキングシステムの処理フローを示す図である。
【００６０】
同図に示すように、ピッキングシステム１００の移載制御装置１０６は、受信したオーダー情報に基づき保管棚１０１から移動棚１０２に移載する箱体２００を決定する（Ｓ１０１）。
【００６１】
ここで、オーダー情報とは、組み合わせられた組み合わせ物品の搬出先を示す情報と、物品の種類、および、個数を示す情報とを含む情報である。
【００６２】
本実施の形態の場合次に、移載制御装置１０６は、オーダー情報である第一オーダー情報に基づいて決定される箱体２００である第一箱体を移動棚１０２に全て移載するとした場合に、前記第一箱体を保持する移動棚１０２の空いている保持部１２１の数である空保持部数を導出する（Ｓ１０４）。例えば、移動棚１０２の保持部１２１の数が１２であり、決定された第一箱体の数が７である場合、保持部１２１の数から第一箱体の数を減算した差が空保持部数となる。また、第一箱体の数が保持部１２１の数以上の場合、第一箱体の数から保持部１２１の数を除した差異の余を算出し、保持部１２１の数から前記余を現在した差が空保持部数となる。
【００６３】
次に、オーダー情報に基づいて決定される箱体２００の総数を全箱体数とした場合に、前記全箱体数が前記空保持部数以下である第二オーダー情報を探索する（Ｓ１０７）。
【００６４】
第二オーダー情報が発見された場合、第二オーダー情報に基づいて決定される箱体２００である第二箱体の全てを前記第一箱体とともに移動棚１０２に移載する制御を行う（Ｓ１１６）。
【００６５】
一方、第二オーダー情報が発見されない場合、第一箱体のみを移動棚１０２に移載する制御を行う（Ｓ１１３）。
【００６６】
次に、報知制御装置１０７は、移載制御装置１０６から、箱体２００の情報と箱体２００が移載された移動棚１０２の情報と、箱体２００を保持する保持部１２１の位置情報と、移動棚１０２が移載される組み合わせエリアＡにおける位置情報を取得し、対応するオーダー情報に基づき組み合わせ情報を作成する。
【００６７】
次に、報知制御装置１０７は、組み合わせエリアＡに複数配置される報知装置１０５内の組み合わせ情報に対応する報知装置１０５に対し組み合わせ情報を報知するよう制御する。具体的には、報知制御装置１０７は、保持部１２１に保持される箱体２００から取得する物品の数を位置情報に対応する位置に配置される表示装置１５２に表示させる。
【００６８】
以上でピッキングシステム１００の処理の１サイクルは終了する。
【００６９】
作業者Ｗが受け持つ位置に配置される移動棚１０２に保持される箱体２００は、全て組み合わせ作業に必要な箱体２００であることを認識しているため、例えば、左上隅の保持部１２１に保持される箱体２００から順番に、対応する表示装置１５２に表示される数の物品を取り出して、出庫用容器２０１（図１参照）に収容すれば良い。これにより、作業者Ｗは、必要な箱体２００か否かを判断するような余計な判断をする必要がなくなり、不必要な物品を組み合わせてしまうなどのヒューマンエラーの発生確率を低減することができる。
【００７０】
なお具体的には、表示装置１５２に箱体２００から取り出す物品の数が表示され、釦ランプ１５３が点灯しており、表示された数の物品を作業者Ｗが取り出した後に、作業者Ｗが釦ランプ１５３を押すことで、点灯していた釦ランプ１５３が消灯するものとなっている。これにより、物品の取り出しが完了した箱体２００であるか否かを作業者Ｗが容易に判断することができる。
【００７１】
また、箱体２００から物品を一つ取り出す毎に釦ランプ１５３を作業者Ｗが押すと、表示装置１５２に表示される数が一つ減るものとしてもよい。これにより、組み合わせる物品の数を間違えるヒューマンエラーの発生確率を低減することができる。
【００７２】
さらに、作業者Ｗは、組み合わせエリアＡでの定点作業になり、作業者Ｗの移動量を大幅に削減できるため、作業者Ｗの肉体的な負担を軽減することができ、ピッキングシステム１００全体の効率を向上することが可能となる。
【００７３】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００７４】
例えば、一つの移動棚１０２に異なるオーダー情報にかかる箱体２００を保持させることは本願発明の必須の要件ではない。ただし、移動棚１０２を移載する際に、空保持部数が少ない方が、ピッキングシステム１００全体の効率を向上させることができる。
【産業上の利用可能性】
【００７５】
本願発明は、複数のメーカーで製造された複数種類の物品（商品）を一旦倉庫などに集中させ、集められた物品を販売用の店舗毎に仕分ける物流倉庫などに適用可能である。特に、医薬品や食品など作業者の手でハンドリング可能な物品を仕分ける作業に適用可能である。
【符号の説明】
【００７６】
１００  ピッキングシステム
１０１  保管棚
１０２  移動棚
１０３  第一移載装置
１０４  第二移載装置
１０５  報知装置
１０６  移載制御装置
１０７  報知制御装置
１１１  保管棚板
１２１  保持部
１２２  移動棚板
１２９  載置台
１３１  水平搬送手段
１３２  鉛直搬送手段
１３３  コンベア
１３４  リフトコンベア
１３５  走行車
１３６  押し出し装置
１４１  移動棚保持手段
１４２  レール
１５１  枠体
１５２  表示装置
１５３  釦ランプ
２００  箱体
２０１  出庫用容器
【図１】
0005760925.tif 000002
【図２】
0005760925.tif 000003
【図３】
0005760925.tif 000004
【図４】
0005760925.tif 000005
【図５】
0005760925.tif 000006
【図６】
0005760925.tif 000007
【図７】
0005760925.tif 000008
【図８】
0005760925.tif 000009